(57)【特許請求の範囲】
【請求項１】
バックライト、及び該バックライトの輝度を制御するための第１輝度制御値を出力する第１制御部を有し、映像を表示する表示装置と、
該表示装置に接続可能なように構成され、入力された情報に基づき、前記輝度を制御するための第２輝度制御値を演算する処理を行い、得られた前記第２輝度制御値を含む信号を前記表示装置へ出力する第２制御部を有する信号出力装置と
を備える映像信号処理装置において、
前記第２輝度制御値を前記第１輝度制御値に基づく指定輝度制御値に変更する制御値変更手段と、
前記第２輝度制御値が前記指定輝度制御値と一致しているか否かを判定する第１判定手段と、
該第１判定手段により前記第２輝度制御値が前記指定輝度制御値と一致していると判定した場合に、前記第２制御部が以後に演算する第２輝度制御値に基づき、前記バックライトの輝度を制御するように構成してあることを特徴とする映像信号処理装置。
【請求項２】
前記第２輝度制御値に基づき、前記バックライトの輝度を制御する前には、前記第１輝度制御値に基づき、前記バックライトの輝度を制御するように構成されており、
前記第１制御部は、
前記第１判定手段と、
前記指定輝度制御値を前記第２制御部へ出力する指定輝度制御値出力手段と、
前記第２制御部からの第２輝度制御値を入力する手段と、
前記第１判定手段により前記第２輝度制御値が前記指定輝度制御値と一致していると判定した場合に、前記第２制御部が以後に演算する第２輝度制御値に基づき、前記バックライトの照度を制御するように、前記第２制御部へ指示を出力する指示出力手段と
を備え、
前記第２制御部は、
前記第１制御部から前記指定輝度制御値を入力したか否かを判定する手段を備え、
該手段により、前記第１制御部から前記指定輝度制御値を入力したと判定した場合に、  前記制御値変更手段は、前記第２輝度制御値を指定輝度制御値に変更し、
前記第１制御部へ前記第２輝度制御値を出力する手段と、
前記指示出力手段から前記指示を入力したか否かを判定する手段と、
該手段により前記指示を入力したと判定した場合に、以後に演算する第２輝度制御値に基づき、前記バックライトの輝度を制御する手段と
をさらに備える請求項１に記載の映像信号処理装置。
【請求項３】
前記第１制御部は、
前記指定輝度制御値出力手段が前記第２制御部へ前記指定輝度制御値を出力してから経過した時間を計時する手段と、
所定時間が経過したか否かを判定する第２判定手段と
を備え、
前記第２判定手段により、所定時間が経過したと判定した場合に、前記第１制御部が演算した前記第１輝度制御値に基づき、前記バックライトの輝度を制御するように構成してある請求項２に記載の映像信号処理装置。
【請求項４】
バックライト、及び該バックライトの輝度を制御するための第１輝度制御値を出力する第１制御部を有し、映像を表示する表示装置と、
該表示装置に接続可能なように構成され、入力された情報に基づき、前記輝度を制御するための第２輝度制御値を演算する処理を行い、得られた前記第２輝度制御値を含む信号を前記表示装置へ出力する第２制御部を有する信号出力装置と
を備える映像信号処理装置において、
前記第１制御部は、
前記表示装置の温度を取得する手段と、
前記温度が低温輝度制御開始温度以下であるか否かを判定する手段と、
該手段により前記温度が低温輝度制御開始温度以下であると判定した場合に、前記第２輝度制御値を、前記バックライトの温度を上昇させるために設定された指定輝度制御値に変更するように、前記第２制御部へ指示を出力する第１指示出力手段と、
前記表示装置の温度が低温輝度制御解除温度以上であるか否かを判定する手段と、
該手段により前記表示装置の温度が低温輝度制御解除温度以上であると判定した場合に、前記第２制御部が以後に演算する第２輝度制御値に基づき、前記バックライトの輝度を制御するように、前記第２制御部へ指示を出力する第２指示出力手段と
を備え、
前記第２制御部は、
前記第１指示出力手段から前記指示を入力したか否かを判定する手段と、
該手段により、前記指示を入力したと判定した場合に、前記第２輝度制御値を指定輝度制御値に変更する手段と、
前記第２指示出力手段から前記指示を入力したか否かを判定する手段と、
該手段により、前記指示を入力したと判定した場合に、以後に演算する第２輝度制御値に基づき、前記バックライトの輝度を制御する手段と
を備えることを特徴とする映像信号処理装置。
【請求項５】
前記第２制御部は、
第２輝度制御値が、次に演算した第２輝度制御値より大きいか否かを判定する第３判定手段と、
該第３判定手段により第２輝度制御値が、次に演算した第２輝度制御値より大きいと判定した場合に、前記第２輝度制御値から所定値を減じた値を第２輝度制御値とする手段と、
前記第３判定手段により第２輝度制御値が、次に演算した第２輝度制御値より小さいと判定した場合に、前記第２輝度制御値から所定値を加えた値を第２輝度制御値とする手段と
を備える請求項１から４のいずれか１つに記載の映像信号処理装置。
【請求項６】
前記バックライトが備える冷陰極管に電力を与えるインバータと、
該インバータをデューティ制御するためのＰＷＭ信号を生成するＰＷＭ信号生成回路と
を備え、
前記第１制御部及び第２制御部が出力する輝度制御値は前記ＰＷＭ信号のデューティ比であり、
前記第１制御部が出力する前記デューティ比と、前記第２制御部が出力する前記デューティ比とを切り換えて、前記ＰＷＭ信号生成回路へ出力する切換器
をさらに備える請求項１から５のいずれか１つに記載の映像信号処理装置。
【請求項７】
バックライトの輝度を制御するための第１輝度制御値を出力する第１制御部を有する表示装置と、前記表示装置に接続可能なように構成され、入力された情報に基づき、前記輝度を制御するための第２輝度制御値を演算する第２制御部を有する信号出力装置とを備える映像信号処理装置を用い、前記第２輝度制御値に基づき、前記バックライトの輝度を制御する制御ステップを有する映像信号処理方法において、
前記第１輝度制御値に基づき、前記バックライトの輝度を制御するステップと、
前記第２輝度制御値が、前記第１輝度制御値に基づく指定輝度制御値と一致しているか否かを判定するステップと
を有し、
該ステップにより、前記第２輝度制御値が前記指定輝度制御値と一致していると判定した場合に、前記制御ステップに移行することを特徴とする映像信号処理方法。
【発明の詳細な説明】
【技術分野】
【０００１】
本発明は、映像を表示する表示装置と、該表示装置に接続自在に構成され、チューナ等を含む信号出力装置とを有する映像信号処理装置、及び映像信号処理方法に関する。
【背景技術】
【０００２】
近年、液晶表示部（液晶パネル）及びバックライトを有し、映像を表示する表示装置と、該表示装置に着脱自在に接続され、外部からテレビジョン信号等を受信するためのチューナ等を含むＳＴＢ（セット・トップ・ボックス）とを有する映像信号処理装置がよく使用されている。
【０００３】
前記バックライトの輝度を制御して映像の調光を制御するために、バックライトが備える冷陰極管に電力を与えるインバータに対し、ＰＷＭ（パルス幅変調）信号によりデューティ制御を行うことがよくなされているが、前記表示装置の制御部が調光制御をする場合であって、調光（輝度）制御値を演算する制御部が前記ＳＴＢ側にある場合、前記調光制御値をＳＴＢから表示装置に通知する必要がある。
【０００４】
しかし、表示装置側で現時点設定され、インバータ側に出力されている調光制御値と、ＳＴＢ側で演算された調光制御値とが大きく異なる場合、制御する主体がＳＴＢに切り換わったときに、明るさが急激に変化することになり、視聴映像がちらつくという問題がある。
【０００５】
特許文献１には、表示装置として液晶表示装置、及びＰＤＰ等の他のデバイスのいずれであっても接続可能なＳＴＢを用い、接続デバイスが液晶表示装置であるかその他のデバイスであるかに対応して、バックライトの駆動を行うか否かを使い分けるように構成された表示システムの発明が開示されている。
【特許文献１】特許第４０１６９１５号公報
【発明の開示】
【発明が解決しようとする課題】
【０００６】
近年、表示装置のさらなる薄型化が要求されており、表示装置側には、表示装置の動作に必要な最小限の回路のみを残し、回路基板を小型化させるようにした表示システムが提案されている。
また、特許文献１の表示システムにおいては、ＳＴＢから調光制御信号を表示装置に送るように構成されているが、表示装置のマイコンが前記調光制御信号を受けて、表示装置に内蔵されるバックライト制御回路を制御し、表示装置において急激な調光設定の変化が生じないようにされている。この場合、必ず表示装置のマイコンによる演算処理が介在するため、マイコンでの演算による遅延が生じ、調光のリアルタイム性が失われる。特に、アクティブ・バックライト制御のように映像に連動したリアルタイムのバックライト制御を必要とするシステムには適さないという問題がある。
【０００７】
本発明は、斯かる事情に鑑みてなされたものであり、信号出力装置の輝度制御値が指定輝度制御値と一致した時点で、表示装置の制御部を介さずにバックライトの輝度を直接制御するように構成することにより、明るさが急激に変化することが抑制され、前記制御部における演算処理を不要として、リアルタイムの調光処理を実現するとともに、表示装置の薄型化が図られる映像信号処理装置、及び映像信号処理方法を提供することを目的とする。
【課題を解決するための手段】
【０００８】
本発明に係る映像信号処理装置は、バックライト、及び該バックライトの輝度を制御するための第１輝度制御値を出力する第１制御部を有し、映像を表示する表示装置と、該表示装置に接続可能なように構成され、入力された情報に基づき、前記輝度を制御するための第２輝度制御値を演算する処理を行い、得られた前記第２輝度制御値を含む信号を前記表示装置へ出力する第２制御部を有する信号出力装置とを備える映像信号処理装置において、前記第２輝度制御値を前記第１輝度制御値に基づく指定輝度制御値に変更する制御値変更手段と、前記第２輝度制御値が前記指定輝度制御値と一致しているか否かを判定する第１判定手段と、該第１判定手段により前記第２輝度制御値が前記指定輝度制御値と一致していると判定した場合に、前記第２制御部が以後に演算する第２輝度制御値に基づき、前記バックライトの輝度を制御するように構成してあることを特徴とする。
【０００９】
本発明に係る映像信号処理装置は、前記第２輝度制御値に基づき、前記バックライトの輝度を制御する前には、前記第１輝度制御値に基づき、前記バックライトの輝度を制御するように構成されており、前記第１制御部は、前記第１判定手段と、前記指定輝度制御値を前記第２制御部へ出力する指定輝度制御値出力手段と、前記第２制御部からの第２輝度制御値を入力する手段と、前記第１判定手段により前記第２輝度制御値が前記指定輝度制御値と一致していると判定した場合に、前記第２制御部が以後に演算する第２輝度制御値に基づき、前記バックライトの照度を制御するように、前記第２制御部へ指示を出力する指示出力手段とを備え、前記第２制御部は、前記第１制御部から前記指定輝度制御値を入力したか否かを判定する手段を備え、該手段により、前記第１制御部から前記指定輝度制御値を入力したと判定した場合に、前記制御値変更手段は、前記第２輝度制御値を指定輝度制御値に変更し、前記第１制御部へ前記第２輝度制御値を出力する手段と、前記指示出力手段から前記指示を入力したか否かを判定する手段と、該手段により前記指示を入力したと判定した場合に、以後に演算する第２輝度制御値に基づき、前記バックライトの輝度を制御する手段とをさらに備えることを特徴とする。
【００１０】
本発明に係る映像信号処理装置は、前記第１制御部は、前記指定輝度制御値出力手段が前記第２制御部へ前記指定輝度制御値を出力してから経過した時間を計時する手段と、所定時間が経過したか否かを判定する第２判定手段とを備え、前記第２判定手段により、所定時間が経過したと判定した場合に、前記第１制御部が演算した前記第１輝度制御値に基づき、前記バックライトの輝度を制御するように構成してあることを特徴とする。
【００１１】
本発明に係る映像信号処理装置は、バックライト、及び該バックライトの輝度を制御するための第１輝度制御値を出力する第１制御部を有し、映像を表示する表示装置と、該表示装置に接続可能なように構成され、入力された情報に基づき、前記輝度を制御するための第２輝度制御値を演算する処理を行い、得られた前記第２輝度制御値を含む信号を前記表示装置へ出力する第２制御部を有する信号出力装置とを備える映像信号処理装置において、前記第１制御部は、前記表示装置の温度を取得する手段と、前記温度が低温輝度制御開始温度以下であるか否かを判定する手段と、該手段により前記温度が低温輝度制御開始温度以下であると判定した場合に、前記第２輝度制御値を、前記バックライトの温度を上昇させるために設定された指定輝度制御値に変更するように、前記第２制御部へ指示を出力する第１指示出力手段と、前記表示装置の温度が低温輝度制御解除温度以上であるか否かを判定する手段と、該手段により前記表示装置の温度が低温輝度制御解除温度以上であると判定した場合に、前記第２制御部が以後に演算する第２輝度制御値に基づき、前記バックライトの輝度を制御するように、前記第２制御部へ指示を出力する第２指示出力手段とを備え、前記第２制御部は、前記第１指示出力手段から前記指示を入力したか否かを判定する手段と、該手段により、前記指示を入力したと判定した場合に、前記第２輝度制御値を指定輝度制御値に変更する手段と、前記第２指示出力手段から前記指示を入力したか否かを判定する手段と、該手段により、前記指示を入力したと判定した場合に、以後に演算する第２輝度制御値に基づき、前記バックライトの輝度を制御する手段とを備えることを特徴とする。
【００１２】
本発明に係る映像信号処理装置は、前記第２制御部は、第２輝度制御値が、次に演算した第２輝度制御値より大きいか否かを判定する第３判定手段と、該第３判定手段により第２輝度制御値が、次に演算した第２輝度制御値より大きいと判定した場合に、前記第２輝度制御値から所定値を減じた値を第２輝度制御値とする手段と、前記第３判定手段により第２輝度制御値が、次に演算した第２輝度制御値より小さいと判定した場合に、前記第２輝度制御値から所定値を加えた値を第２輝度制御値とする手段とを備えることを特徴とする。
【００１３】
本発明に係る映像信号処理装置は、前記バックライトが備える冷陰極管に電力を与えるインバータと、該インバータをデューティ制御するためのＰＷＭ信号を生成するＰＷＭ信号生成回路とを備え、前記第１制御部及び第２制御部が出力する輝度制御値は前記ＰＷＭ信号のデューティ比であり、前記第１制御部が出力する前記デューティ比と、前記第２制御部が出力する前記デューティ比とを切り換えて、前記ＰＷＭ信号生成回路へ出力する切換器をさらに備えることを特徴とする。
【００１４】
本発明に係る映像信号処理方法は、バックライトの輝度を制御するための第１輝度制御値を出力する第１制御部を有する表示装置と、前記表示装置に接続可能なように構成され、入力された情報に基づき、前記輝度を制御するための第２輝度制御値を演算する第２制御部を有する信号出力装置とを備える映像信号処理装置を用い、前記第２輝度制御値に基づき、前記バックライトの輝度を制御する制御ステップを有する映像信号処理方法において、前記第１輝度制御値に基づき、前記バックライトの輝度を制御するステップと、前記第２輝度制御値が、前記第１輝度制御値に基づく指定輝度制御値と一致しているか否かを判定するステップとを有し、該ステップにより、前記第２輝度制御値が前記指定輝度制御値と一致していると判定した場合に、前記制御ステップに移行することを特徴とする。
【００１５】
本発明においては、最初は、表示装置の第１制御部が出力する輝度制御値によりバックライトの輝度を制御し、信号出力装置が出力する輝度制御値が指定輝度制御値と略一致した時点で、表示装置の第１制御部を介さずに、第２制御部が直接、バックライトの輝度を制御するので、第１制御部における輝度制御値の演算処理が不要になり、リアルタイム処理が実現される。また、明るさが急激に変化することが抑制されている。
【発明の効果】
【００１６】
本発明によれば、表示装置の第１制御部における輝度制御値の演算処理が不要になり、第２制御部によるリアルタイムの調光処理が実現されるとともに、表示装置の薄型化が実現される。
また、最初に表示装置の第１制御部が出力する輝度制御値に基づく指定輝度制御値と略一致するようになった時点で、第２制御部による直接制御を行うので、明るさが急激に変化することが抑制され、視聴映像がちらつくことが抑制されている。
【発明を実施するための最良の形態】
【００１７】
以下、本発明をその実施の形態を示す図面に基づき具体的に説明する。
実施の形態１．
図１は、本発明の実施の形態１に係る映像信号処理装置１の構成を示すブロック図である。
映像信号処理装置１は、ＳＴＢ２と、表示装置３とを着脱自在にＨＤＭＩ（ハイ−デフィニション・マルチメディア・インターフェイス）接続してなる。
ＳＴＢ２は、チューナ２１、信号処理部２２、ＨＤＭＩ信号送信部２３、第２制御部２５、及び不揮発メモリ２６を備えている。ＳＴＢ２は、テレビジョン放送信号を録画するためのＨＤＤ（ハード・ディスク・ドライブ）、又はＤＶＤプレーヤ／レコーダを備えていてもよく、ビデオ信号、コンポーネント信号を入力するように構成されていてもよい。
【００１８】
チューナ２１は、外部からテレビジョン放送信号を受信し、アナログ映像信号を信号処理部２２へ出力する。チューナ２１は、デジタルテレビジョン放送信号を受信した場合は、アナログ映像信号に復調した上で、該アナログ映像信号を信号処理部２２へ出力する。信号処理部２２は、Ａ／Ｄ変換、フォーマット変換、色補正、ＲＧＢ変換、ガンマ補正等の信号処理を行い、処理した映像信号をＨＤＭＩ信号送信部２３へ出力する。
第２制御部２５は、後述する第１制御部３１から受信したリモコン信号に対応した所定の動作を行う。ユーザが後述するバックライト３７の輝度に係る設定（画面の明るさの設定）をリモートコントロールユニット（図示せず）により行った場合、第２制御部２５は、ユーザ設定調光情報として、不揮発メモリ２６に記憶させる。
【００１９】
第２制御部２５は、前記ユーザ設定調光情報、図示しないＯＰＣ（周囲照度センサ）が検知した周囲照度の情報、並びに映像連動情報（映像信号１フレーム当たりの平均輝度、輝度の最大値及び最小値の検出情報等）のうちの少なくとも１つの情報に基づき、後述するインバータ３６をデューティ制御するための調光（輝度）制御値（以下、Ｓ−ＤＵＴＹ値という）を演算し、該Ｓ−ＤＵＴＹ値を制御情報としてＨＤＭＩ信号送信部２３へ出力する。ＤＵＴＹ値は、ＯＮ  ＤＵＴＹ値（％）である。
ＨＤＭＩ信号送信部２３は、映像信号、及び第２制御部２５から入力した制御信号を表示装置３のＨＤＭＩ信号受信部３２へ出力する。ここで、映像の各フレームのヘッダに、Ｓ−ＤＵＴＹ値が与えられている。
【００２０】
表示装置３は、第１制御部３１、ＨＤＭＩ信号受信部３２、パケットデータ受信部３３、切換器３４、ＰＷＭ信号生成部３５、インバータ３６、バックライト３７、液晶表示部３８、及びリモコン信号受信部４０を備えている。
ＨＤＭＩ信号受信部３２が入力した映像信号は、パケットデータ受信部３３を介して第１制御部３１へ出力され、第１制御部３１に制御された状態で、前記映像信号に基づく映像が液晶表示部３８において形成される。
バックライト３７は、前記液晶表示部３８の背面から光を照射する。バックライト３７が内蔵する冷陰極管（図示せず）には、インバータ３６により電力が与えられる。バックライト３７は、第１制御部３１によりインバータ３６を介して制御される。インバータ３６は、ＰＷＭ信号生成部３５により生成されたＰＷＭ信号によりデューティ制御される。
【００２１】
ＨＤＭＩ信号受信部３２が前記ＨＤＭＩ信号送信部２３から入力した制御信号は、パケットデータ受信部３３を介して切換器３４へ出力される。切換器３４へは、第１制御部３１から輝度制御値（以下、Ｍ−ＤＵＴＹ値という）も出力され、切換器３４により、Ｓ−ＤＵＴＹ値及びＭ−ＤＵＴＹ値のうちのいずれかのＤＵＴＹ値が前記ＰＷＭ信号生成部３５へ出力され、ＰＷＭ信号生成部３４は、入力したＤＵＴＹ値に基づきＰＷＭ信号を生成して、インバータ３６へ出力する。
第１制御部３１と第２制御部２５とは、ＣＥＣ信号により双方向に通信できるように構成されている。また、第１制御部３１は、タイマ３１ａを備えている。
リモコン信号受信部４０は、前記リモートコントロールユニットからリモコン信号を受信する。リモコン信号は第１制御部３１へ出力され、第１制御部３１は、リモコン信号をＣＥＣにより第２制御部２５へ送信する。
【００２２】
以下に、本実施の形態の映像信号処理方法に係る調光制御について詳細に説明する。
表示装置３の電源がオンになり、ＳＴＢ２との接続が認証できなかった場合、調光制御は第１制御部３１が行う。このとき、Ｍ−ＤＵＴＹ値として１００（％）の値が切換器３４へ出力され、該Ｍ−ＤＵＴＹ値に基づくＰＷＭ信号がインバータ３６へ出力され、バックライト３７の発光強度を最大にするＭＡＸ調光制御処理が行われる。
表示装置３とＳＴＢ２とが接続され、後述するように、第２制御部２５が出力するＳ−ＤＵＴＹ値により、逐次、バックライト３７の輝度が制御されるＡＣＴＩＶＥ調光制御が行われている場合に、ＳＴＢ２の電源がオフされたとき、又は接続が切断されたとき、第１制御部３１はこれを検知して、第１制御部３１による調光制御に移行する。このとき、第１制御部３１はＭＡＸ調光処理を行う。
いずれの場合も、ＭＡＸ調光処理の完了後は、ＭＡＸ調光制御値がＨＯＬＤされる。
また、前記ＡＣＴＩＶＥ調光制御がなされていた場合に、第２制御部２５から第１制御部３１へ映像オフの指示がされた場合、第１制御部３１による調光制御に移行する。
【００２３】
図２は、バックライト３７をオンさせる場合、及び表示装置３とＳＴＢ２との接続が切断された後、再度接続された場合の第１制御部３１の処理手順を示すフローチャート、図３は、第２制御部２５の処理手順を示すフローチャート、図４は、調光制御を説明するためのグラフ、図５は、タイムアウト処理を説明するためのグラフである。図４及び図５において、横軸は時間、縦軸はＳＴＢ２及び表示装置３が出力するＤＵＴＹ値を示すが、実線のグラフは切換器３４を介してＰＷＭ信号生成部３４へ出力されていることを示し、破線のグラフはＰＷＭ信号生成部３４へは出力されていないことを示す。
【００２４】
第１制御部３１は、切換器３４を第１制御部３１に接続し（Ｓ１）、Ｍ−ＤＵＴＹ値（１００％）を切換器３４へ出力する（Ｓ２）。第１制御部３１は、ＭＡＸ調光制御を行うことになる。
第１制御部３１は、バックライトオン制御信号を出力し、バックライト３７を点灯させる（Ｓ３）。
【００２５】
このとき、第２制御部２５が演算して出力するＳ−ＤＵＴＹ値は切換器３４へ出力されているが、切換器３４が第１制御部３１側に接続されているので、ＰＷＭ信号生成部３４へは出力されていない（図４参照）。
第１制御部３１は、ＣＥＣコマンドにより第２制御部２５へＨＯＬＤ調光通知をし（図４の時点Ｔ1 ）、前記Ｓ−ＤＵＴＹ値を指定調光制御値（指定ＤＵＴＹ値）に変更し、ＨＯＬＤするように通知する（Ｓ４）。ここで、指定ＤＵＴＹ値は、上述したＭＡＸ調光に係るＭ−ＤＵＴＹ値（１００％）である。指定ＤＵＴＹ値はＭ−ＤＵＴＹ値（１００％）に限定されるものではなく、Ｍ−ＤＵＴＹ値に基づいて設定されればよく、１００％より小さくてもよい。
【００２６】
一方、第２制御部２５は、ＨＯＬＤ＝０、すなわち、ＨＯＬＤ調光フラグがセットされていないか否かを判定する（Ｓ１０２）。第２制御部２５は、ＨＯＬＤ＝０でない、すなわち、ＨＯＬＤ調光フラグがセットされていると判定した場合（Ｓ１０２：ＮＯ）、処理をステップＳ１０６へ進める。
【００２７】
第２制御部２５は、ＨＯＬＤ＝０であると判定した場合（Ｓ１０２：ＹＥＳ）、第１制御部３１から前記ステップＳ４のＨＯＬＤ調光通知を入力したか否かを判定する（Ｓ１０３）。第２制御部２５は、ＨＯＬＤ調光通知を入力していないと判定した場合（Ｓ１０３：ＮＯ）、処理をステップＳ１０９へ進める。
第２制御部２５は、ＨＯＬＤ調光通知を入力したと判定した場合（Ｓ１０３：ＹＥＳ）、ＨＯＬＤ調光フラグをセットする（Ｓ１０４）。
そして、第２制御部２５は、Ｓ−ＤＵＴＹ値を指定ＤＵＴＹ値へ変更し（Ｓ１０５）、処理をステップＳ１１５へ進める。
【００２８】
第１制御部３１は、次に、タイマ３１ａに計時させ（Ｓ５）、ｎを１とする（Ｓ６）。
第１制御部３１は、パケットデータ受信部３３から受信したＳ−ＤＵＴＹ値を読み取り（Ｓ７）、読み取ったＳ−ＤＵＴＹ値が指定ＤＵＴＹ値と一致しているか否かを判定する（Ｓ８）。
第１制御部３１は、Ｓ−ＤＵＴＹ値が指定ＤＵＴＹ値と一致していないと判定した場合（Ｓ８：ＮＯ）、所定時間が経過したか否かを判定する（Ｓ９）。所定時間が経過していないと判定した場合（Ｓ９：ＮＯ）、処理をステップＳ７へ戻す。
【００２９】
第１制御部３１は、所定時間が経過したと判定した場合（Ｓ９：ＹＥＳ）、インクリメントし（Ｓ１０）、ｎ＞２であるか否かを判定する（Ｓ１１）。ｎ＞２でないと判定した場合（Ｓ１１：ＮＯ）、処理をステップＳ７へ戻す。ｎ＞２であると判定した場合（Ｓ１１：ＹＥＳ）、処理を終了する。
図５に示すように、時点Ｔ1 でＨＯＬＤ調光を通知した後、所定時間が経過した時点Ｔ4 においても、Ｓ−ＤＵＴＹ値が指定ＤＵＴＹ値と一致しない場合があり、図２のフローチャートに示すようにリトライするが、再度、所定時間が経過した時点Ｔ5 においても、Ｓ−ＤＵＴＹ値が指定ＤＵＴＹ値と一致しない場合は、処理を終了する。このケースは、通信上の問題が発生したケースに相当する。
【００３０】
第１制御部３１は、Ｓ−ＤＵＴＹ値が指定ＤＵＴＹ値と一致していると判定した場合（Ｓ８：ＹＥＳ）、切換器３４をＳＴＢ２側に接続し（Ｓ１２）、ＳＴＢによる調光制御に切り換える（図４の時点Ｔ2 ）。
そして、第１制御部３１は、ＣＥＣコマンドにより、ＳＴＢ２へＡＣＴＩＶＥ調光をするように通知し（Ｓ１３、図４の時点Ｔ3 ）、処理を終了する。
【００３１】
一方、第２制御部２５は、ステップＳ１０６において、ＡＣＴＩＶＥ調光通知を入力したか否かを判定する。ＡＣＴＩＶＥ調光通知を入力していないと判定した場合（Ｓ１０６：ＮＯ）、処理をステップＳ１１５へ進める。
【００３２】
第２制御部２５は、前記ステップＳ１３のＡＣＴＩＶＥ調光通知を入力したと判定した場合（Ｓ１０６：ＹＥＳ）、ＨＯＬＤ調光フラグをリセットし（Ｓ１０７）、ＡＣＴＩＶＥ調光フラグをセットする（Ｓ１０８）。
【００３３】
そして、第２制御部２５は、例えば映像連動情報に基づき、目標ＤＵＴＹ値を算出する（Ｓ１０９）。
【００３４】
第２制御部２５は、現時点のＳ−ＤＵＴＹ値が目標ＤＵＴＹ値以上であるか否かを判定する（Ｓ１１０）。
第２制御部２５は、現時点のＳ−ＤＵＴＹ値が目標ＤＵＴＹ値以上であると判定した場合、Ｓ−ＤＵＴＹ値が目標ＤＵＴＹ値と等しいか否かを判定する（Ｓ１１１）。Ｓ−ＤＵＴＹ値が目標ＤＵＴＹ値と等しいと判定した場合（Ｓ１１１：ＹＥＳ）、目標ＤＵＴＹ値をＳ−ＤＵＴＹ値とし（Ｓ１１２）、処理をステップＳ１１５へ進め、Ｓ−ＤＵＴＹ値を出力する（Ｓ１１５）。Ｓ−ＤＵＴＹ値と目標ＤＵＴＹ値とが等しくない、すなわちＳ−ＤＵＴＹ値が目標ＤＵＴＹ値より大きいと判定した場合（Ｓ１１１：ＮＯ）、Ｓ−ＤＵＴＹ値からＳＴＥＰ値を減じた値をＳ−ＤＵＴＹ値とし（Ｓ１１３）、処理をステップＳ１１５へ進め、算出したＳ−ＤＵＴＹ値をＨＤＭＩ信号送信部２３へ出力する。
第２制御部２５は、現時点のＳ−ＤＵＴＹ値が目標ＤＵＴＹ値以上でないと判定した場合（Ｓ１１０：ＮＯ）、Ｓ−ＤＵＴＹ値にＳＴＥＰ値を加えた値をＳ−ＤＵＴＹ値とし（Ｓ１１４）、処理をステップＳ１１５へ進める。
ここで、ＳＴＥＰ値は、１回で変えることができるＤＵＴＹ値の量をいう。ステップＳ１０７で算出した目標ＤＵＴＹ値をそのままＳ−ＤＵＴＹ値とし、ステップＳ１１５において該Ｓ−ＤＵＴＹ値を出力してもよいが、ＤＵＴＹ値が急激に変化する場合があり、これを防止するためにＳ−ＤＵＴＹ値を段階的に変化させることにしている。
【００３５】
ＨＯＬＤ調光の場合、ステップＳ１１５においてＳＴＢ２から出力されたＳ−ＤＵＴＹ値は、第１制御部３１へ入力される。第１制御部３１が入力したＳ−ＤＵＴＹ値は、上述したように、ステップＳ７において読み取られる。
ＡＣＴＩＶＥ調光の場合、ステップＳ１１５においてＳＴＢ２から出力されたＳ−ＤＵＴＹ値は、ＰＷＭ信号生成部３４へ出力され、インバータ３６がデューティ制御される。
【００３６】
本実施の形態においては、第１制御部３１における調光制御のための演算処理が不要であり、ＡＣＴＩＶＥ調光に移行した後、第２制御部２５の演算処理に基づく調光制御がリアルタイムに実現される。上述したように、調光制御値を演算する処理は第２制御部２５が行うので、第１制御部３１は小型化することができ、表示装置３の薄型化が実現される。
また、最初に第１制御部３１が出力するＭ−ＤＵＴＹ値に基づく指定ＤＵＴＹ値と一致するようになった時点で、第２制御部２５による直接制御に切り換えるので、画面の明るさが急激に変化することが抑制され、視聴映像がちらつくことが抑制されている。
【００３７】
なお、本実施の形態においては、始めに第１制御部３１によりＭＡＸ調光を行う場合につき説明しているがこれに限定されるものではなく、第１制御部３１がＭ−ＤＵＴＹ値を、バックライト３７の発光強度の最低設定値（ＭＩＮ値：例えば略２０％）に設定するＭＩＮ調光を行うことにしてもよい。
また。ＤＵＴＹ値としてＯＮ  ＤＵＴＹ値を用いた場合につき説明しているが、ＯＦＦ  ＤＵＴＹ値を用いることにしてもよい。
さらに、タイムアウト処理は省略することにしてもよい。
【００３８】
実施の形態２．
図６は、本発明の実施の形態２に係る映像信号処理装置１１の構成を示すブロック図である。図中、図１と同一部分は同一符号を付して詳細な説明を省略する。
映像信号処理装置１１においては、表示装置３は、さらに表示装置３の温度を検出する温度センサ３９を備えている。温度センサ３９は、検出した表示装置３の温度を第１制御部３１へ出力するように構成されている。
【００３９】
低温時に、第１制御部３１によるＭＡＸ調光を行った場合、バックライト３７の発光強度が低いため、期待する輝度よりもかなり低い出力となる。そこで、本実施の形態においては、調光制御は第２制御部２５により行うことにし、第２制御部２５によりＭＡＸ調光制御を行って、バックライト３７の温度上昇を促す。
図７は、映像信号処理装置１１により低温時調光制御をする場合の第１制御部３１の処理手順を示すフローチャート、図８は、第２制御部２５の処理手順を示すフローチャート、図９は、低温時調光制御を説明するためのグラフである。
【００４０】
第１制御部３１は、温度センサ３９から表示装置温度を取得する（Ｓ２１）。
第１制御部３１は、表示装置温度が低温調光開始温度以下であるか否かを判定する（Ｓ２２）。表示装置温度が低温調光開始温度以下でないと判定した場合（Ｓ２２：ＮＯ）、処理をステップＳ２５へ進める。
【００４１】
第１制御部３１は、表示装置温度が低温調光開始温度以下であると判定した場合（Ｓ２２：ＹＥＳ）、低温時調光中フラグをセットする（Ｓ２３：図９の時点Ｔ6 ）。
第１制御部３１は、ＣＥＣコマンドによりＳ−ＤＵＴＹ値を指定ＤＵＴＹ値に変更し、ＨＯＬＤするようにＳＴＢ２へ通知し（Ｓ２４：図９の時点Ｔ7 ）、処理をステップＳ２１へ戻す。ここで、指定ＤＵＴＹ値は、ＭＡＸ調光に係るＤＵＴＹ値（１００％）である。指定ＤＵＴＹ値は１００％に限定されるものではなく、１００％より小さくてもよい。
【００４２】
一方、第２制御部２５は、ＨＯＬＤ調光フラグがセットされていないか否かを判定する（Ｓ１２２）。第２制御部２５は、ＨＯＬＤ調光フラグがセットされていると判定した場合（Ｓ１２２：ＮＯ）、処理をステップＳ１２６へ進める。
【００４３】
第２制御部２５は、ＨＯＬＤ調光フラグがセットされていないと判定した場合（Ｓ１２２：ＹＥＳ）、第１制御部３１から前記ステップＳ２４のＨＯＬＤ調光通知を入力したか否かを判定する（Ｓ１２３）。第２制御部２５は、ＨＯＬＤ調光通知を入力していないと判定した場合（Ｓ１２３：ＮＯ）、処理をステップＳ１２９へ進める。
第２制御部２５は、ＨＯＬＤ調光通知を入力したと判定した場合（Ｓ１２３：ＹＥＳ）、ＨＯＬＤ調光フラグをセットする（Ｓ１２４）。
そして、第２制御部２５は、Ｓ−ＤＵＴＹ値を指定ＤＵＴＹ値へ変更し（Ｓ１２５）、処理をステップＳ１３５へ進める。
【００４４】
第１制御部３１は、ステップＳ２５において、低温調光中フラグがセットされているか否かを判定する。低温調光中フラグがセットされていないと判定した場合（Ｓ２５：ＮＯ）、処理をステップＳ２１へ戻す。
第１制御部３１は、低温調光中フラグがセットされていると判定した場合（Ｓ２５：ＹＥＳ）、表示装置温度が低温調光解除温度以上であるか否かを判定する（Ｓ２６）。表示装置温度が低温調光解除温度以上でないと判定した場合（Ｓ２６：ＮＯ）、処理をステップＳ２１へ戻す。
【００４５】
第１制御部３１は、表示装置温度が低温調光解除温度以上であると判定した場合（Ｓ２６：ＹＥＳ、図９の時点Ｔ8 ）、ＳＴＢ２へＡＣＴＩＶＥ調光をするように通知し（Ｓ２７、図９の時点Ｔ9 ）、処理を終了する。
【００４６】
一方、第２制御部２５は、ステップＳ１２６において、ＡＣＴＩＶＥ調光通知を入力したか否かを判定する。ＡＣＴＩＶＥ調光通知を入力していないと判定した場合（Ｓ１２６：ＮＯ）、処理をステップＳ１３５へ進める。
【００４７】
第２制御部２５は、前記ステップＳ２７のＡＣＴＩＶＥ調光通知を入力したと判定した場合（Ｓ１２６：ＹＥＳ）、ＨＯＬＤ調光フラグをリセットし（Ｓ１２７）、ＡＣＴＩＶＥ調光フラグをセットする（Ｓ１２８）。
【００４８】
そして、第２制御部２５は、例えば映像連動情報に基づき、目標ＤＵＴＹ値を算出する（Ｓ１２９）。
【００４９】
第２制御部２５は、現時点のＳ−ＤＵＴＹ値が目標ＤＵＴＹ値以上であるか否かを判定する（Ｓ１３０）。
第２制御部２５は、現時点のＳ−ＤＵＴＹ値が目標ＤＵＴＹ値以上であると判定した場合（Ｓ１３０：ＹＥＳ）、前記Ｓ−ＤＵＴＹ値と目標ＤＵＴＹ値とが等しいか否かを判定する（Ｓ１３１）。前記Ｓ−ＤＵＴＹ値と目標ＤＵＴＹ値とが等しいと判定した場合（Ｓ１３１：ＹＥＳ）、目標ＤＵＴＹ値をＳ−ＤＵＴＹ値とし（Ｓ１３２）、処理をステップＳ１３５へ進め、Ｓ−ＤＵＴＹ値を出力する。現時点のＳ−ＤＵＴＹ値と目標ＤＵＴＹ値とが等しくない、すなわち前記Ｓ−ＤＵＴＹ値が目標ＤＵＴＹ値より大きいと判定した場合（Ｓ１３１：ＮＯ）、前記Ｓ−ＤＵＴＹ値からＳＴＥＰ値を減じた値をＳ−ＤＵＴＹ値とし（Ｓ１３３）、処理をステップＳ１３５へ進める。
第２制御部２５は、現時点のＳ−ＤＵＴＹ値が目標ＤＵＴＹ値以上でないと判定した場合（Ｓ１３０：ＮＯ）、前記Ｓ−ＤＵＴＹ値にＳＴＥＰ値を加えた値をＳ−ＤＵＴＹ値とし（Ｓ１３４）、処理をステップＳ１３５へ進める。
ここで、ＳＴＥＰ値は、１回で変えることができるＤＵＴＹ値の量をいう。ステップＳ１０７で算出した目標ＤＵＴＹ値をそのままＳ−ＤＵＴＹ値とし、ステップＳ１３３において該Ｓ−ＤＵＴＹ値を出力してもよいが、ＤＵＴＹ値が急激に変化する場合があり、これを防止するためにＳ−ＤＵＴＹ値を段階的に変化させることにしている。
【００５０】
ＡＣＴＩＶＥ調光の場合、ステップＳ１３５においてＳＴＢ２から出力されたＳ−ＤＵＴＹ値は、ＰＷＭ信号生成部３４へ出力され、インバータ３６がデューティ制御される。
【００５１】
本実施の形態においては、ユーザ設定情報及び映像連動情報等の情報に関わらず、ＳＴＢ２によりＭＡＸ調光を行ってバックライト３７の温度を上昇させ、表示装置３の温度が低温調光解除温度になった時点でＡＣＴＩＶＥ調光を行うので、画像の輝度が良好に確保される。
なお、前記実施の形態１及び２においては、ＳＴＢ２と表示装置３とがＨＤＭＩ接続される場合につき説明しているがこれに限定されるものではなく、他のマルチメディアインタフェースにより接続することにしてもよい。
【図面の簡単な説明】
【００５２】
【図１】本発明の実施の形態１に係る映像信号処理装置の構成を示すブロック図である。
【図２】第１制御部の処理手順を示すフローチャートである。
【図３】第２制御部の処理手順を示すフローチャートである。
【図４】調光制御を説明するためのグラフである。
【図５】タイムアウト処理を説明するためのグラフである。
【図６】本発明の実施の形態２に係る映像信号処理装置の構成を示すブロック図である。
【図７】本発明の実施の形態２に係る映像信号処理装置により低温時調光制御をする場合の第１制御部の処理手順を示すフローチャートである。
【図８】第２制御部の処理手順を示すフローチャートである。
【図９】低温時調光制御を説明するためのグラフである。
【符号の説明】
【００５３】
１  映像信号処理装置
２  ＳＴＢ
２１  チューナ
２２  信号処理部
２３  ＨＤＭＩ信号送信部
２４  リモコン信号受信部
２５  第２制御部
２６  不揮発メモリ
３  表示装置
３１  第１制御部
３２  ＨＤＭＩ信号受信部
３３  パケットデータ受信部
３４  切換器
３５  ＰＷＭ信号生成部
３６  インバータ
３７  バックライト
３８  液晶表示部
【図１】
0005046980.tif 000002
【図２】
0005046980.tif 000003
【図３】
0005046980.tif 000004
【図４】
0005046980.tif 000005
【図５】
0005046980.tif 000006
【図６】
0005046980.tif 000007
【図７】
0005046980.tif 000008
【図８】
0005046980.tif 000009
【図９】
0005046980.tif 000010